(57)【要約】      （修正有）【課題】全口腔無歯に適用する顔面走査位置決め構造を提供する。【解決手段】Ｘ軸方向に沿って非対称面板部１１が定められ、Ｙ軸方向に沿って非対称側板部１２が定められ、Ｚ軸方向に沿って厚さが定められる不規則状主体１０と、非対称面板部及び非対称側板部の予定位置に分布し、かつ外向きに突出する構造形態を呈する複数の現像凸部２０と、非対称面板部及び非対称側板部の予定表面位置に分布し、凹面状形態を呈する複数の凹部３０とを備え、そのうち、複数の当該現像凸部及び当該凹部により、不規則状主体は、Ｘ軸、Ｙ軸、Ｚ軸方向のいずれにも沿って非対称の構造形態を呈するように構成され、この不規則の凹凸差に応じて、予定の顔面走査位置決めを行うとき、特定軸方向の画像重畳誤差を有効に減少させることができると共に、各軸方向の重畳位置誤差を容易に観察することができる。【選択図】図１
0003217567.tif 000002
【実用新案登録請求の範囲】
【請求項１】
全口腔無歯に適用する顔面走査位置決め構造であって、ユニバーサル顎間関係記録装置に合わせて装着される前記顔面走査位置決め構造は、
Ｘ軸方向に沿って非対称面板部が定められ、Ｙ軸方向に沿って非対称側板部が定められ、Ｚ軸方向に沿って厚さが定められる不規則状主体と、
前記非対称面板部及び前記非対称側板部の予定位置に少なくとも分布する少なくとも複数の現像凸部と、
前記非対称面板部及び前記非対称側板部の予定表面位置に少なくとも分布し、凹面状形態を呈する少なくとも複数の凹部とを備え、
少なくとも前記非対称面板部と前記非対称側板部が非対称の構造形態を呈させ、かつ前記非対称面板部の一側に配装部が設けられ、前記配装部は、前記ユニバーサル顎間関係記録装置と着脱可能な配装状態を呈し、
当該現像凸部は、外向きに突出する構造形態を呈する必要があり、
そのうち、各当該現像凸部及び各当該凹部により、前記不規則状主体は、前記Ｘ軸方向、前記Ｙ軸方向、前記Ｚ軸方向のいずれにも沿って非対称の構造形態を呈するように構成されることを特徴とする、全口腔無歯に適用する顔面走査位置決め構造。
【請求項２】
前記非対称側板部の両側は、異なる傾斜度合いの斜面によって非対称の構造形態に構成されることを特徴とする、請求項１に記載の全口腔無歯に適用する顔面走査位置決め構造。
【請求項３】
前記非対称面板部の上、下両側は、異なる傾斜度合いの斜面を有して非対称の面状形態を現出することを特徴とする、請求項１または請求項２に記載の全口腔無歯に適用する顔面走査位置決め構造。
【請求項４】
各当該現像凸部は、埋込式硫酸バリウム材質の現像ボール形態であることを特徴とする、請求項１に記載の全口腔無歯に適用する顔面走査位置決め構造。
【請求項５】
前記非対称面板部の前記配装部は、スライドレール形態で設けられ、前記ユニバーサル顎間関係記録装置の組継ぎ部と摺動着脱自在の配装関係をなすことを特徴とする、請求項１に記載の全口腔無歯に適用する顔面走査位置決め構造。
【考案の詳細な説明】
【技術分野】
【０００１】
本考案は、顔面走査位置決め構造に係り、特に、全口腔無歯に適用する斬新な位置決め構造の開示に関するものである。
【背景技術】
【０００２】
従来から、全口腔義歯を作製する要求は、高齢や不良な習慣（例えば、喫煙やビンロウを噛むなど）による全口腔の歯が欠落している患者によく見られるものである。普及している全口腔義歯の一般的形式は、上、下顎一組の可動式義歯を有し、また全口腔義歯を作製したり、あるいは義歯の修復・設計・再建を行ったりする前に、後続の完成品の適用性及び快適性を確保するために、予め動的顎間関係を記録する必要がある。臨床上、全口腔無歯患者に対して動的顎間関係を記録し、即ち、いわゆるゴシックアーチ（Ｇｏｔｈｉｃ  ａｒｃｈ）運動経路を記録する。患者の顎間関係を記録した後、顔面の３Ｄ走査を行おうとするとき、患者が無歯顎の場合、特徴点の位置決めとして、口腔外の位置決め片を位置決めの特徴として利用する必要がある。但し、公知普通の位置決め片構造は、通常、標準形式の平面薄板状に形成され、その表面に特徴とする平面の黒色点を有し、その形式が普遍的であるが、走査後の３Ｄ画像と重ね合わせるとき、そのＹ軸方向の位置決め誤差が大きいので、かつそれらの平面の黒色点設計により、三角格子点の実体を３Ｄ画像とするとき、不完全な画像を現出し易く、その義歯の作製精度及び品質に影響を及ぼしてしまう。
【考案の概要】
【考案が解決しようとする課題】
【０００３】
従って、本考案の主な目的は、全口腔無歯患者に対して顔面走査分析を行うとき、特定軸方向の画像重畳誤差を有効に減少させることができ、各軸方向の重畳位置誤差を容易に観察することができ、しかも義歯完成品の適用性及び品質を大幅に向上させることができる斬新な位置決め構造を提供することにある。
【課題を解決するための手段】
【０００４】
上記目的を達成するために、本考案が提出する全口腔無歯に適用する顔面走査位置決め構造において、かかる顔面走査位置決め構造は、ユニバーサル顎間関係記録装置に合わせて装着され、前記顔面走査位置決め構造は、Ｘ軸方向に沿って非対称面板部が定められ、Ｙ軸方向に沿って非対称側板部が定められ、Ｚ軸方向に沿って厚さが定められる不規則状主体と、前記非対称面板部及び前記非対称側板部の予定位置に少なくとも分布する少なくとも複数の現像凸部と、前記非対称面板部及び前記非対称側板部の予定表面位置に少なくとも分布し、凹面状形態を呈する少なくとも複数の凹部とを備え、少なくとも前記非対称面板部と前記非対称側板部が非対称の構造形態を呈し、かつ前記非対称面板部の一側に配装部が設けられ、前記配装部は、かかるユニバーサル顎間関係記録装置と着脱可能な配装状態を呈し、当該現像凸部は、外向きに突出する構造形態を呈する必要があり、そのうち、各当該現像凸部及び各当該凹部により、前記不規則状主体は、前記Ｘ軸、Ｙ軸、Ｚ軸方向のいずれにも沿って非対称の構造形態を呈するように構成される。
【考案の効果】
【０００５】
本考案に係る非対称側板部の両側は、異なる傾斜度合いの斜面によって非対称の構造形態に構成され、このほか、前記非対称面板部の上、下両側は、異なる傾斜度合いの斜面を有して非対称の面状形態を現出する。なお、注意に値することは、本考案の各当該現像凸部は、埋込式硫酸バリウム材質を利用して構成された現像ボール形態である。無歯患者が前記ユニバーサル顎間関係記録装置を咬合して予め断層走査を行うとき、かかる硫酸バリウム材質の現像凸部は、Ｘ、Ｙ、Ｚ軸方向上に、位置決めのための特徴点となる光点を生成した後、３Ｄ画像走査の特徴点を利用するとき、それらの現像凸部とＣＴ画像走査時の光点との位置は、いずれも同一の位置にあるため、本考案の顔面走査位置決め構造は、非対称外形を利用し、及び各軸方向の距離を増大することにより、走査時に容易に識別できる特徴を生成し、特定軸方向の画像重畳誤差を有効に減少させ、各軸方向の重畳位置誤差を容易に観察するなどの実用進歩性を達成し得る。
【図面の簡単な説明】
【０００６】
【図１】本考案の斜視図である。
【図２】本考案の使用状態を示す図である。
【図３】本考案の使用状態を示す図である。
【考案を実施するための形態】
【０００７】
まず、図１〜図３を併せて参照して示すように、本考案は、全口腔無歯に適用する顔面走査位置決め構造０５を提供し、かかる顔面走査位置決め構造０５は、ユニバーサル顎間関係記録装置０６に合わせて装着され、前記顔面走査位置決め構造０５は、不規則状主体１０と、少なくとも複数の現像凸部２０と、少なくとも複数の凹部３０とを備える。
【０００８】
前記不規則状主体１０は、Ｘ軸方向（図１のみに示す矢印記号Ｘ）に沿って非対称面板部１１が定められ、Ｙ軸方向（図１のみに示す矢印記号Ｙ）に沿って非対称側板部１２が定められ、Ｚ軸方向（図１のみに示す矢印記号Ｚ）に沿って厚さ１３（図１のみに示す）が定められ、かつ少なくとも前記非対称面板部１１と前記非対称側板部１２が非対称の構造形態を呈させ、かつそのうち、前記非対称面板部１１の一側に配装部１４が設けられ、前記配装部１４は、かかるユニバーサル顎間関係記録装置０６と着脱可能な配装状態を呈し、具体的実施上、前記配装部１４は、スライドレール形態で設けられ、前記ユニバーサル顎間関係記録装置０６の組継ぎ部０７と摺動着脱自在の配装関係をなす。
【０００９】
少なくとも複数の現像凸部２０は、前記非対称面板部１１及び前記非対称側板部１２の予定位置に少なくとも分布し、かかる現像凸部２０は、外向きに突出する構造形態を呈する必要がある。
【００１０】
少なくとも複数の凹部３０は、前記非対称面板部１１及び前記非対称側板部１２の予定表面位置に少なくとも分布し、凹面状形態を呈する。
【００１１】
かつそのうち、各当該現像凸部２０及び各当該凹部３０により、前記不規則状主体１０は、前記Ｘ軸、Ｙ軸、Ｚ軸方向のいずれにも沿って非対称の構造形態を呈するように構成される。
【産業上の利用可能性】
【００１２】
本考案の主な具体的実施形態及びそれによって奏する効果を合わせて説明する。図１〜図３を参照して示すように、本考案に係る非対称側板部１２の両側は、異なる傾斜度合いの斜面によって非対称の構造形態に構成され、このほか、前記非対称面板部１１の上、下両側は、異なる傾斜度合いの斜面を有して非対称の面状形態を現出する。なお、注意に値することは、本考案の各当該現像凸部２０は、埋込式硫酸バリウム材質を利用して構成された現像ボール形態である。無歯患者が前記ユニバーサル顎間関係記録装置０６を咬合して予め断層走査（即ち、いわゆるＣＴ走査、図２、図３の右下方に示すように、骨組織を主として現像する）を行うとき、かかる硫酸バリウム材質の現像凸部２０は、Ｘ、Ｙ、Ｚ軸方向上に、位置決めのための特徴点となる光点を生成した後、３Ｄ画像走査の特徴点（三角格子点画像をＣＴ走査画像と重ね合わせて正確な口腔位置構造を取得し、前記走査画像を図示しない）を利用するとき、それらの現像凸部２０とＣＴ画像走査時の光点との位置は、いずれも同一の位置にあるため、本考案の顔面走査位置決め構造０５は、非対称外形を利用し、及び各軸方向の距離を増大することにより、走査時に容易に識別できる特徴を生成し、特定軸方向（例えば、Ｚ軸方向などであるが、これに限定されない）の画像重畳誤差を有効に減少させ、各軸方向の重畳位置誤差を容易に観察するなどの実用進歩性を達成し得る。
【符号の説明】
【００１３】
０５：顔面走査位置決め構造
０６：ユニバーサル顎間関係記録装置
０７：組継ぎ部
１０：不規則状主体
１１：非対称面板部
１２：非対称側板部
１３：厚さ
１４：配装部
Ｘ：Ｘ軸方向
Ｙ：Ｙ軸方向
Ｚ：Ｚ軸方向
２０：現像凸部
３０：凹部
【図１】
0003217567.tif 000003
【図２】
0003217567.tif 000004
【図３】
0003217567.tif 000005